(57)【要約】【課題】際根太を使用しない作業性の良い床構造およびその構築工法を提供することである。【解決手段】床構造１は、鉄筋コンクリート構造物におけるスラブ２の上面に、桟木６を上面に備えた床下地材３が、際根太の設置されていない壁面７に墨打ちされた基準墨８に上面を合わせて設置され、壁際の床下地材３が壁面７との間に僅かな間隙部１１をもって設置され、これらの床下地材３の上面に仕上げ板５が敷設されてなる。【選択図】図１
2008095390.tif 000002
【特許請求の範囲】
【請求項１】
鉄筋コンクリート構造物におけるスラブの上面に、桟木を上面に備えた床下地材が、際根太の設置されていない壁面に墨打ちされた基準墨に、上面を合わせて設置され、これらの床下地材の上面に仕上げ板が敷設されてなることを特徴とする床構造。
【請求項２】
壁際の床下地材は壁面との間に僅かな間隙部をもって設置されたことを特徴とする請求項１に記載の床構造。
【請求項３】
壁際に設置された床下地材の壁側における桟木は、端部または端部から僅かに離れた位置に設置されたことを特徴とする請求項１または２に記載の床構造。
【請求項４】
床下地材の桟木と直交方向の壁際には、床下地材との間に補強用床下地材が壁に沿って設置され、該補強用床下地材の上面には桟木が壁に沿って設置されたことを特徴とする請求項１〜３のいずれかに記載の床構造。
【請求項５】
鉄筋コンクリート構造物における住戸の壁面に床面レベルの基準墨を墨打ちし、この基準墨に上面を合わせて床下地材を設置した後、これらの床下地材の上面に仕上げ板を敷設することを特徴とする床構造の構築方法。
【請求項６】
壁際の床下地材は壁面との間に僅かな間隙部をもって設置することを特徴とする請求項５に記載の床構造。
【請求項７】
壁際に設置された床下地材の壁側における桟木は、端部または端部から僅かに離れた位置に設置することを特徴とする請求項５または６に記載の床構造の構築方法。
【請求項８】
床下地材の桟木と直交方向の壁際に、上面に桟木が設置された補強用床下地材を壁に沿って設置した後に、他の床下地材を設置することを特徴とする請求項５〜７のいずれかに記載の床構造の構築方法。
【発明の詳細な説明】
【技術分野】
【０００１】
本願発明は床構造およびその構築方法に関するものである。
【背景技術】
【０００２】
鉄筋コンクリート造の集合住宅における二重の床構造は、図９に示すように、スラブ２４の上面にモルタルなどの不陸調整材２５を介して床下地材２６が密接状に設置されて構成されていた。これらの床下地材２６は、壁面２７に沿って設置した際根太２８の上面を床面の基準レベルとし、この上面と床下地材２６の上面とを合わせるようにして設置されていた。そして、この際根太２８が床下地材２６の壁際を補強するものとなっていた。また、その他の床構造としては、例えば特開２０００−３２０１０８号公報の発明が知られている。
【特許文献１】特開２０００−３２０１０８号公報
【発明の開示】
【発明が解決しようとする課題】
【０００３】
しかし、上記の床構造は、二重床専用の職工がスラブに床下地材を設置する前に、他の職工、すなわち際根太専用の職工が際根太を設置するために二重手間になるとともに、工程管理上の煩雑さも伴っていた。
【０００４】
本願発明はこれらの問題に鑑みてなされたものであり、その目的は、際根太を使用しない作業性の良い床構造およびその構築工法を提供することである。
【課題を解決するための手段】
【０００５】
以上の課題を解決するための床構造は、鉄筋コンクリート構造物におけるスラブの上面に、桟木を上面に備えた床下地材が、際根太の設置されていない壁面に墨打ちされた基準墨に、上面を合わせて設置され、これらの床下地材の上面に仕上げ板が敷設されてなることを特徴とする。また壁際の床下地材は壁面との間に僅かな間隙部をもって設置されたことを含む。また壁際に設置された床下地材の壁側における桟木は、端部または端部から僅かに離れた位置に設置されたことを含む。また床下地材の桟木と直交方向の壁際には、床下地材との間に補強用床下地材が壁に沿って設置され、該補強用床下地材の上面には桟木が壁に沿って設置されたことを含む。
また床構造の構築方法は、鉄筋コンクリート構造物における住戸の壁面に床面レベルの基準墨を墨打ちし、この基準墨に上面を合わせて床下地材を設置した後、これらの床下地材の上面に仕上げ板を敷設することを特徴とする。また壁際の床下地材は壁面との間に僅かな間隙部をもって設置されたことを含む。また壁際に設置された床下地材の壁側における桟木は、端部または端部から僅かに離れた位置に設置することを含む。また床下地材の桟木と直交方向の壁際に、上面に桟木が設置された補強用床下地材を壁に沿って設置した後に、他の床下地材を設置することを含むものである。
【発明の効果】
【０００６】
壁面に墨打ちされた基準墨に上面を合わせて床下地材が設置されたことにより、際根太を必要としない床構造を提供できる。また床下地材の壁側における桟木は、端部または端部から僅かに離れた位置に設置されたことにより、床下地材の壁際における端部の強度を増すことができ、際根太の代わりになる。また床下地材の桟木と直交方向の壁際には、床下地材との間に補強用床下地材が壁に沿って設置され、該補強用床下地材の上面には桟木が壁に沿って設置されたことにより、床下地材の桟木と直交方向の壁際における床下地材の端部を補強することができる。また壁面に墨打ちされた基準墨に上面を合わせて床下地材を設置することにより、床下地材を設置する前の際根太の設置作業が省略できるので、作業性の向上を図ることができるとともに、床工事工程の管理が簡素化できる。また床下地材の桟木と直交方向の壁際に補強用床下地材を設置する工程も一人の職工ができるので、作業性の向上を図ることができる。
【発明を実施するための最良の形態】
【０００７】
以下、本願発明の床構造およびその構築方法の実施の形態について説明する。はじめに床構造について説明し、次に、床構造の構築方法について説明するが、各実施の形態において同じ構成は同じ符号を付して説明し、異なった構成は異なった符号を付して説明する。
【０００８】
この床構造は、鉄筋コンクリート造の集合住宅の各住戸におけるスラブの上面に発泡樹脂製の床下地材が設置されたものであり、この床下地材を、従来のように際根太の上面を床面の基準レベルとして設置するのではなく、壁面に墨打ちされた基準墨を床面の基準レベルとして設置する。
【０００９】
図１は第１の実施の形態の床構造１である。この床構造１はスラブ２の上面に発泡樹脂製の床下地材３がモルタルなどの不陸調整材４を介して設置され、この上面に仕上げ板５が敷設されて構成されている。
【００１０】
この床下地材３は平面長方形の熱可塑性発泡樹脂複合体であり、密度が８〜４０ｇ／ｌの高密度ポリエチレン、線状低密度ポリエチレン、ポリプロピレン、プロピレン・エチレン共重合体、スチレン・ポリエチレン共重合体などのポリスチレン系樹脂やポリオレフィン系樹脂、ウレタン樹脂からなっており、上面に硬質熱可塑性発泡樹脂の桟木６が埋設され、これに仕上げ板５が釘打ちされている。
【００１１】
これらの床下地材３が壁面７に墨打ちされた基準墨８を床面の基準レベルとして設置されている。これは各部屋の四つの壁面７における基準墨８に床下地材３の上面を合わせて（床下地材の上面と基準墨とが同じ位置になるように）設置したものであり、際根太が設置された場合と同じ手順および同じレベルで設置する。
【００１２】
この桟木６は床下地材３の長辺方向に沿って設置され、壁際の床下地材３における桟木９が、他の床下地材の桟木６よりも長辺側の端縁に近い位置に設置されている。これは、この桟木９が際根太の代わりをするものであり、壁際の床下地材３における長辺側の端部を補強するものである。
【００１３】
これらの床下地材３は長辺側端部の嵌合用段部１０で重なり合わされ、壁際の床下地材３が壁面７に突き当てられずに、壁面７との間に僅かな間隙部１１をもって設置されている。また仕上げ板５の端部も壁面７に突き当てずに、壁面７から僅かに離して（適宜間隙部２２をもって）設置されるが、この間隙部２２を幅木１２の軟質気密片１３で塞ぐと意匠上も好都合になる。このように床下地材３を壁面７から僅かに離すのは床が共振するのを防ぐためである。また仕上げ板５を壁面から僅かに離すのは、木製の仕上げ板５が吸湿による膨張によって仕上面全体が凸状に変形するのを防ぐためである。
【００１４】
したがって、この床構造１は、床下地材３で形成された下床１４の四辺がすべて壁面７から僅かに離れて形成されている。すなわち壁際の床下地材３が全て壁面７から僅かに離れて設置されている。 なお、このように壁際の床下地材３を全て壁面７から離して設置する以外に、壁際の床下地材３を全て壁面７に突き当てた床構造にすることもできる。
【００１５】
また図２は第２の実施の形態の床構造１５である。この床構造１５は床下地材３上面の壁際における桟木９が、他の桟木６よりも幅広に形成されたものであり、これ以外は上記の第１の実施の形態の床構造１と同じ構成である。この壁際の桟木９を幅広にすると、壁際における床下地材３の端部が際根太に代わって補強されるものである。この幅は他の桟木６の二倍以上、また二倍以下であってもよい。
【００１６】
また図３は第３の実施の形態の床構造１６である。この床構造１６は床下地材３上面における壁際の桟木９を、床下地材３の長辺側の端縁に設置したものであり、これ以外は上記の第１の実施の形態の床構造１と同じ構成である。これは上記のように端縁から僅かに離した位置ではなく、端縁に設けることにより、壁際における床下地材３の端部を際根太に代わって補強するものである。また、この桟木９の幅は他の桟木６と同じか、あるいはその二倍以上また二倍以下であってもよい。
【００１７】
また図４は第４の実施の形態の床構造１７である。この床構造１７は、床下地材の桟木６と直交方向の壁際に、上面に桟木１８が設置された補強用床下地材１９を壁に沿って設置したものであり、これ以外は上記の第１の実施の形態の床構造１と同じ構成である。この補強用床下地材１９の桟木１８で短辺側の床下地材３の端部を補強する。すなわち長辺側の端部が、壁面に沿った桟木９で補強される一方、短辺側の端部が補強用床下地材１９で補強されるため、床下地材３で形成された下床１４の周辺に桟木６、１８が設置されたことになる。この補強用床下地材１９も他の床下地材３と同じ職工が同じ手順で設置することができるため作業性がよくなる。なお、この桟木１８は床下地材３の桟木６よりも幅広に形成することもできる。
【００１８】
また上記の実施の形態は、通常のコンクリートスラブで説明したが、これは中空スラブであっても良い。また床下地材３の上面に、面密度が９ｋｇ／ｍ２以上のアスファルトシートやゴムシートなどの制振面材（図示せず）を、合板やパーチクルボードなどの木質捨張り材を介して設置するものであってもよい。また床下地材３が、上部がポリスチレン系樹脂やポリオレフィン系樹脂、ウレタン樹脂などからなる低発泡の高密度部と、下部がエラスティックな独立気泡の熱可塑性発泡樹脂からなる高発泡の低密度部とからなるものであってもよい（図示せず）。さらに、壁内面に発泡樹脂製の断熱板が貼り付けられたもの、或いはスラブ２の下面、すなわち下階の天井面に発泡樹脂製の断熱板が貼り付けられたものであってもよい（図示せず）。
【００１９】
次に、床構造の構築方法を図５〜図８に基づいて説明する。図５および図６は、第１の実施の形態の床構造の構築方法である。はじめに、図５に示すように、部屋の四つの壁面７に床面の基準レベルとなる基準墨８の墨打ちをする。
【００２０】
そして、この基準墨８を基準にして床下地材３を設置するが、その前にスラブ２の上面に不陸調整材４であるモルタル団子を設置する。そして、図６に示すように、この不陸調整材４の上に床下地材３を設置して、その上面と基準墨とを合わせるように不陸調整材４でレベル調整する。
【００２１】
この床下地材３は壁際に設置するため、壁際から僅かに離して、すなわち適宜な間隙部１１をもって設置する。次に、この設置した床下地材３の隣に前記と同様の方法で不陸調整材４を設置し、この上に他の床下地材３を設置する。
【００２２】
そして、これと同じ作業を順次繰り返すことによって床下地材３からなる下床１４を構築する。この下床１４の四辺は壁面７から僅かに離して（僅かな間隙部１１をもって）構築されている。
【００２３】
次に、この下床１４上に仕上げ板５を、その端部を壁面から僅かに離して（適宜間隙部２２をもって）敷設する。次に、四つの壁面７に幅木１２を設置して軟質気密片１３で壁面７との間隙部１１、２２を塞ぐと、一人の職工で図１に示す床構造１が構築できる。
【００２４】
また、図７および図８は、第４の実施の形態の床構造１７の構築方法である。はじめに、上記と同様に、図５に示すように、部屋の四つの壁面７に床面の基準レベルとなる基準墨８を墨打ちする。
【００２５】
そして、この基準墨８を床面の基準レベルとして床下地材３を設置するが、その前にスラブ２の上面に補強床下地材１９の不陸調整材４であるモルタル団子を設置する。これは床下地材３の桟木６と直交する壁面７側に設置する。
【００２６】
次に、不陸調整材４の上に補強用床下地材１９を設置して、その上面を基準墨８に合わせるように不陸調整材４でレベル調整する。この補強用床下地材１９も壁際に設置するものであるため、壁際から僅かに離して、すなわち適宜間隙部１１をもって設置すると、上面の桟木１８が壁面７に沿って設置される。
【００２７】
次に、図８に示すように、この補強用床下地材１９の隣に前記と同様の方法で他の床下地材の不陸調整材４を設置し、この上に他の床下地材３を設置し、上記と同様に、基準墨２１と上面とを合わせるように不陸調整材４でレベル調整する。
【００２８】
次に、前記と同様に、補強用床下地材１９の隣に補強用床下地材１９の不陸調整材４を設置する。そして、この上に他の補強用床下地材１９を設置する。次に、これと同じ作業を順次繰り返すことによって、四辺に桟木９、１８が設置された下床１４が構築される。
【００２９】
この下床１４の四辺も壁面７から僅かに離して（僅かな間隙部１１をもって）構築されている。そして、この下床１４上に仕上げ板５を壁際から僅かに離して（適宜間隙部２２をもって）敷設する。
【００３０】
次に、幅木１２を四つの壁面７に設置して軟質気密片１３で壁面７との間隙部１１、２２を塞ぐと、一人の職工で図４に示す床構造１７が構築できる。
【００３１】
なお、上記の第２および第３の実施の形態の床構造１５、１６も上記と同様の方法で構築するものとする。
【図面の簡単な説明】
【００３２】
【図１】第１の実施の形態の床構造であり、（１）は断面図、（２）は（１）のＡ−Ａ線断面図である。
【図２】第２の実施の形態の床構造であり、（１）は断面図、（２）は（１）のＢ−Ｂ線断面図である。
【図３】第３の実施の形態の床構造であり、（１）は断面図、（２）は（１）のＣ−Ｃ線断面図である。
【図４】第４の実施の形態の床構造であり、（１）は断面図、（２）は（１）のＤ−Ｄ線断面図である。
【図５】第１の実施の形態の床構造の構築方法であり、（１）はスラブ上面に不陸調整材を設置した断面図、（２）は同平面図である。
【図６】第１の実施の形態の床構造の構築方法であり、（１）は不陸調整材の上に床下地材を設置した断面図、（２）は同平面図である。
【図７】第２の実施の形態の床構造の構築方法であり、（１）はスラブ上面に補強用床下地材を設置した断面図、（２）は同平面図である。
【図８】第２の実施の形態の床構造の構築方法であり、（１）は不陸調整材の上に床下地材を設置した断面図、（２）は同平面図である。
【図９】従来の床構造の断面図である。
【符号の説明】
【００３３】
１、１５、１６、１７  床構造
２、２４  スラブ
３、２６  床下地材
４、２５  不陸調整材
５  仕上げ板
６、９、１８  桟木
７、２７  壁面
１０  嵌合用段部
１１、２２  間隙部
１２  幅木
１３  軟質気密片
１４  下床
１９  補強用床下地材
２６  際根太
【図１】
2008095390.tif 000003
【図２】
2008095390.tif 000004
【図３】
2008095390.tif 000005
【図４】
2008095390.tif 000006
【図５】
2008095390.tif 000007
【図６】
2008095390.tif 000008
【図７】
2008095390.tif 000009
【図８】
2008095390.tif 000010
【図９】
2008095390.tif 000011